(57)【要約】【課題】放熱板セットを蓋セットに着脱自在に取付けるために、前記蓋セット側に設けられるフックが、放熱板セット着脱時の衝撃等の影響を受けて外れることを防止することである。【解決手段】蓋セット側に取付けられたフック１５のガイド片２３、２３に弾性を付与するための縦スリット２２、２２を設け、その縦スリット２２、２２が狭くなるように弾性変形させて取付けたのち、各縦スリット２２に規制部材２８の規制部２９を差し込んで前記ガイド片２３の弾性変形を規制することにより、該フック１５の外れを防止するようにした。【選択図】  図３
2004267260.tif 000002
【特許請求の範囲】
【請求項１】
放熱板セットの前部左右と後部にそれぞれ前部左右係合爪と後部係合爪を設けるとともに、これらに対応して蓋セットの内面にそれぞれ前部左右係合部と後部係合部を設け、前記蓋セットの前部左右係合部を、それぞれスライド自在に支持されかつ係合方向に付勢されたフックにより形成し、前記フックの左右両側部に縦スリットにより部分的に切り離されたガイド片を設け、各ガイド片を弾性変形させることによりその端部を蓋セット側のガイド溝に嵌合させるようにした炊飯器の放熱板セット取付け構造において、前記フックの左右の縦スリットに前記ガイド片の弾性変形を規制する規制部材を差し込んだことを特徴とする炊飯器の放熱板セット取付け構造。
【請求項２】
前記フックは、前面の係合板と上面のガイド板からなる逆Ｌ形断面形状をなし、その係合板の前面に前記係合爪との係合突起を設けるとともに、その左右両側部に下端を開放の前記縦スリットを設け、前記規制部材を各縦スリットに差し込む左右の規制部とその規制部間を連結する連結部とからなるＨ形に形成し、両方の規制部を前記各縦スリットに差し込むとともに、その連結部を前記係合板の前面に沿わせたことを特徴とする請求項１に記載の放熱板セット取付け構造。
【発明の詳細な説明】
【０００１】
【発明の属する技術分野】
この発明は、炊飯器（炊飯ジャーを含む）の放熱板セットの取付け構造に関するものである。
【０００２】
【従来の技術】
炊飯器の蓋セットの内部には、蓋内面の結露防止等の目的で蓋ヒーターが設けられ、そのヒーターの熱を均等に放散させるための放熱板セットが蓋セットの内面に装着される。この放熱板セットは、洗浄等の手入れの必要上、蓋セットに対し着脱自在に取付けられる。その取付け構造として、放熱板セットの前部と後部にそれぞれ前部係合爪と後部係合爪を設けるとともに、これらに対応して蓋セットの内面にそれぞれ前部係合部と後部係合部を設け、前記蓋セットの前部係合部をスライド自在でかつ係合方向に付勢されたフックにより形成し、後部係合部を単なる凹部により形成したものが知られている（特許文献１の第８図参照）。この場合、放熱板セットの着脱の便宜のために、前記の前部係合爪の両側に把持用突片が設けられ、その左右一対の突片を両手で把持することにより放熱板セットの着脱が行われる。
【０００３】
前記の構成においては、蓋セットの前部中央部に前部係合部が設けられ、その係合部は前述のように、前後方向にスライドするフックとその付勢ばねにより構成された機構を有する。しかし、そのような機構を蓋セットの前部中央部に設けようとすると、スペース的に十分な余裕がとれないため、窮屈な設計にならざるをえない。
【０００４】
この問題を回避するため、前部係合部を放熱板セットの前部の左右２か所において、前記の把持用突片に対応した部分に分けて設ける構成を採ることが考えられる。この構成によると前部係合部を設けるためのスペース的な余裕を十分とることができる。これに関しては当出願人がすでに特許出願済みである（特願２００２−７２９９号）。
【０００５】
上記の特許出願に係る放熱板セット取付け構造は、図８及び図９に示すようなものである。即ち、蓋セット６１の内面に設けた嵌合凹部６２に放熱板セット６３が着脱自在に嵌合される。放熱板セット６３は、放熱板６４と、その外周に一体に嵌合された放熱板リング６５及び放熱板リング６５の内周面において放熱板６４との間で挟着された蓋パッキン６６とからなる。
【０００６】
その放熱板リング６５の前部の左右に前部係合爪６７、６７を設け、さらにこれらと同じ位置に下向きに突き出した把持用突片６８、６８を設けている。また、放熱板リング６５の後部（蓋セット６３のヒンジ側）の外周縁に後部係合爪６９が設けられる。この後部係合爪６９は左右の両端部において直角の角部７１、７１を有する。
【０００７】
前記蓋セット６１の嵌合凹部６２の前部左右には、前部係合爪６７、６７に対応して外方に突き出した凹部７２、７２が設けられる。その凹部７２の先端部に一段深い機構部収納凹部７３が設けられる（図９参照）。この機構部収納凹部７３内に前部係合部７０が設けられる。この前部係合部７０は、機構部収納凹部７３内に設けた軸７４に揺動自在に係合支持されたフック７５及びそのフック７５と機構部収納凹部７３の対向壁との間に介在された付勢ばね７６とにより構成される。フック７５の下端部は前記の前部係合爪６７と係脱される係合突部７７が設けられる。
【０００８】
なお、後部係合爪６９の角部７１、７１は、蓋セット６１の係合凹部７８、７８に係合される。
【０００９】
放熱板セット６３を蓋セット６１から外す際は、放熱板セット６３の一対の把持用突片６８、６８を両手で把持して蓋セット６１から離脱する方向に力を加えると、図１０（ａ）（ｂ）のように、前部係合爪６７によりフック７５が付勢ばね７６の付勢力に対向して揺動し係合がはずれる。逆に放熱板セット６１を装着する場合は前記とは逆の作用により元の係合状態に戻る。
【００１０】
上述のように、前記の先願に係るものは、前部係合部７０、７０を左右に分けて設けたことにより、各前部係合部７０の設計にはスペース的な余裕が生じ、設計・製作が楽になる利点がある。しかし、フック７５が軸７４を中心として前後に揺動することにより前部係合爪６７と係脱する構造であるため、一定以上の揺動ストロークを確保する必要がある。このために、フック７５の揺動支点となる軸７４を一段深い機能部収納凹部７３の底部に設けているが、このような一段深い機能部収納凹部７３が必要になる点、軸７４とのヒンジ機構が必要となる点等により構造的に複雑となる問題がある。
【００１１】
このため、図１１に示すようなフック７５’を前後方向にスライド自在に設けた機構も実際に用いられている。この場合のフック７５’は、前面の係合板７９とその上端に設けられたガイド板８０とからなる逆Ｌ字形なすものであり、その係合板７９の左右両側部に下端開放の縦スリット８１、８１により部分的に切り離されたガイド片８２、８２を設けている。各ガイド片８２の外側面にガイド突起８３、８３が設けられ、ガイド片８２、８２を内側に弾性変形させることにより、そのガイド突起８３、８３を蓋セット６１側の凹部７２に設けたガイド溝（図示省略）に嵌合させるようにしている。
【００１２】
【特許文献１】
特開２０００−１４５３７号公報（図８、段落０００６から０００８）
【００１３】
【発明が解決しようとする課題】
しかしながら、上記のように左右のガイド片８２、８２を弾性変形させることによりガイド突起８３、８３をガイド溝に嵌合させる構造であると、放熱板セット６３を蓋セット６１に着脱する際の衝撃等によりガイド突起８３、８３がガイド溝から外れ、フック７５’が不意に外れるような不都合が起こり得る。
【００１４】
そこで、この発明はスライド形式のフックを採用し、縦スリットで部分的に切り離されたガイド片の弾性変形によりフックを取付けるようにした機構を有する放熱板セットの取付け構造において、該フックの外れを防止することを課題とする。
【００１５】
【課題を解決するための手段】
上記の課題を解決するために、この発明は、前記フックの左右のガイド片を弾性変形させて取付けたのち、その縦スリットに規制部材を差し込んでガイド片の弾性変形を規制することにより、フックの外れを防止するようにした。この場合の規制部材としては、各縦スリットに差し込まれる左右の規制部とその規制部間を連結する連結部とからなるＨ形に形成したものを用いることができ、両方の規制部を前記縦スリットに差し込むとともに、その連結部を前記係合面の前面に沿わせる構成を採ることができる。
【００１６】
【発明の実施の形態】
以下、添付図面に基づいてこの発明の実施形態を説明する。図１に示すように、実施形態の炊飯器は、炊飯器本体１の後部にヒンジにより蓋セット２を開閉自在に取付けたものである。蓋セット２の内面のほぼ全面に設けた嵌合凹部３に放熱板セット４が着脱自在に嵌着される。蓋セット２の嵌合凹部３の前部中央部に蓋フック機構５が設けられ、この蓋フック機構５によって蓋セット２が炊飯器本体１に対し係合される。蓋フック機構５の左右両側に前部係合部６、６が設けられ、また、蓋セット２の後部（ヒンジ側）に後部係合部７が設けられる。後部係合部７は左右の角部に小さな係合突起８が設けられる。
【００１７】
放熱板セット４は、その前部に前記の前部係合部６、６に対応した位置に把持用突片９、９が設けられ、各把持用突片９の外面に係合爪１１が突設される（図２参照）。また、放熱板セット４の後部には、左右に角形部１２、１２を有する後部係合爪１３が設けられる。後部係合爪１３が前記蓋セット２の後部係合部７に嵌合されるとともに、左右の角形部１２が前記の係合突起８の内側に係合される。
【００１８】
図２（ａ）（ｂ）は、前記した前部係合部６の構造と、これに係脱される把持用突片９前面に設けた係合爪１１との関係を示している。前部係合部６は、前述の嵌合凹部３の底面と同じ高さをもった凹部１４内に設けられ、その凹部１４にフック１５をスライド自在に収納するとともに、そのフック１５と、凹部１４の奥壁１６間に付勢ばね１７を介在し、その付勢ばね１７のばね力によりフック１５を係合方向に付勢している（図２の二点鎖線参照）。
【００１９】
フック１５は、図３（ａ）に示すように、前面の係合板１８とその上面に設けたガイド板１９を有する逆Ｌ字形の断面形状をなし、その係合板１８の前面に係合突起２１を設けている。さらにその係合突起２１の両側において下端開放の縦スリット２２、２２を設け、各縦スリット２２、２２の外側にガイド片２３、２３を設けている。各ガイド片２３の下端外側面にガイド突起２４を設けている。
【００２０】
両方のガイド突起２４の外側面を指で挟んで内側に力を加えると、各ガイド片２３は縦スリット２２を狭める方向に弾性変形する。そのように弾性変形させた状態で、各ガイド突起２４は前記凹部１４の両側面に設けられたガイド溝２５（図２（ａ）（ｂ）参照）に嵌入される。また、前記ガイド板１９の後端部も奥壁１６上部のガイドスリット２６内に挿入される（図２（ａ）（ｂ）参照）。
【００２１】
前記フック１５の係合板１８の背面にばね受け部２７が設けられ、そのばね受け部２７とこれに対向した奥壁１６との間に前記の付勢ばね１７が介在される。
【００２２】
前記フック１５と組み合わされる規制部材２８は、図４に示すように、ステンレス鋼製の金属板を屈曲して一定の幅と奥行きを持った左右の規制部２９、２９を有するとともに、その規制部２９、２９相互を板状の連結部３１により連結し、Ｈ形に形成したものである。前記の各規制部２９はフック１５の各縦スリット２２の幅と奥行きとに合致するサイズに形成され、また、各規制部２９の奥行き方向の側面３３の端縁に外方に屈曲した係合片３２が設けられる。また、側面３３の屈曲部分に角形の長穴３４を設け、その長穴３４の部分で屈曲させることにより、側面３３をその屈曲部分で弾性変形させ易くしている。また、規制部２９の上下両端に側面３３の上端縁に重なるように屈曲された端板３５、３５が設けられる。
【００２３】
前記のフック１５は、図２（ａ）（ｂ）に示すように、そのガイド板１９をガイドスリット２６に挿入するとともに、各ガイド片２３のガイド突起２４をガイド溝２５に嵌入することにより蓋セット２にスライド自在に組み込まれる。その組込み後、前記規制部材２８をフック１５の係合板１８の前面から押し当て、左右の規制部２９、２９の側面３３を内側に弾性変形させるとともに、フック１５のガイド片２３、２３を押し広げて規制部２９、２９を縦スリット２２、２２に強制的に嵌入させ、係合片３２、３２をガイド片２３、２３の背面に係合させる。連結部３１は係合板１８の前面に沿わせる（図３参照）。
【００２４】
上記のようにしてフック１５に規制部材２８を組み付けた状態で、放熱板セット４を蓋セット２の嵌合凹部３に嵌合させるには、従来の場合と同様に、左右の把持用突片９、９を両手で把持し、先に後部係合爪１３を蓋セット２の後部係合部７に係合させ、その後前部を押し込む（図２（ａ）の矢印Ａ参照）。そうすると、係合爪１１がフック１５の係合突起２１の傾斜面を押し下げるためフック１５を付勢ばね１７のばね力に対抗して後退させる（同図の矢印Ｂ参照）。係合爪１１が係合突起２１を越えるとフック１５は付勢ばね２７のばね力により復帰する。これにより係合突起２１が放熱板セット４の係合爪１１に係合され（図２（ｂ）参照）、放熱板セット４が蓋セット２の嵌合凹部３に嵌着される。洗浄等の手入れの際には前記とは逆の手順で放熱板セット４を蓋セット２から取外す。
【００２５】
上記のようにして、放熱板セット４を着脱する際にフック１５のガイド突起２４の部分にも衝撃その他の力が作用するが、前記のようにフック１５の縦スリット２２、２２内には規制部材２８の規制部２９が差し込まれているため、ガイド片２３が内方に弾性変形する余地はない。このため、ガイド突起２４がガイド溝２５から外れることはなく、従ってフック１５が蓋セット２から外れることが防止される。
【００２６】
ところで、前述のように、放熱板セット４は蓋セット２に装着された蓋ヒーターの熱を炊飯器本体１内部に対し均等に放熱させる機能のほかに、図５（ａ）（ｂ）に示したように、圧力調整弁４０や、圧力逃がし弁４１を設ける部材としても機能する。即ち、放熱板セット４は、これらの図に示されるように、放熱板４２の外周に放熱板リング４３を一体に設けるとともに、その放熱板リング４３の内周と放熱板４２とにより蓋パッキン４４を挟着している。
【００２７】
前記の圧力調整弁４０は、図６及び図７に示したように、ボール４５、ボール受け４６、パッキン４７、ボールシート４８及びボールキャップ４９からなる。パッキン４７はボール受け４６の外周面に装着され、また、ボールシート４８はそのボール受け４６の上端に装着される。上記のパッキン４７とボールシート４８の各装着部分の中間部において、ボール受け４６外周面の３か所に固定用凹部５１（図６（ｂ）、図７参照）が設けられる。また、ボール受け４６の下端につば５２が設けられる。
【００２８】
前記のボール受け４６は、放熱板４２に設けたバーリング加工穴５３の内周に前記パッキン４７を介在して嵌入され、そのつば５２は放熱板４２の下面においてバーリング加工穴５３の周りに押し当てられる。そのバーリング加工穴５３には一対の回り止め爪５４、５４が設けられる（図７参照）。
【００２９】
また、前記のボールキャップ４９は、ボールシート４８上にボール４５を載せた状態でボール受け４６上に被せられる。ボールキャップ４９の下端部内周面には、前記３か所の固定凹部５１に対応して３か所の固定リブ５５が設けられるとともに、前記２か所の回り止め爪５４に対応して２か所の回り止めリブ５６が設けられる。前記固定リブ５５は、それぞれ前記ボール受け４６の固定凹部５１に強制的に嵌合され、また、回り止めリブ５６が回り止め爪５４の周方向に係合される（図６（ｂ）参照）。これらの構造により該ボールキャップ４８がボール受け４６に対しリベットレス構造で固定される。
【００３０】
なお、ボールキャプ４９には、その内部のボール４５に対向しこれを前後方向に移動させるためのプランジャーが出入りするための窓穴５７が設けられる。
【００３１】
上記の構造によると、ボールキャップ４９を固定するための固定凹部５１及び固定リブ５５と、その回り止めのための回り止め爪５４及び回り止めリブ５６とは、相互に独立している。これらを兼用する構造、即ち、回り止めリブ５６を設けず、回り止め爪５４を固定リブ５５の周方向の片側に係合させる構造を採った場合は、組立時にボールキャップ４９の向きが少しでもずれると固定リブ５５が回り止め爪５４に当って欠損する可能性があり、慎重な作業が要求される。これに対し、前記の独立した構造によると、固定リブ５５が回り止め爪５４に干渉することがなく、したがって、固定リブ５５が組立時に欠損することが避けられ、作業性が向上する。
【００３２】
【発明の効果】
以上のように、この発明によると、放熱板セットを蓋セットに着脱自在に取付けるために蓋セットに設けられるフックの弾性変形が規制されるため、放熱板セットの着脱の際の衝撃等によって該フックが外れることがなく、耐久性が改善される効果がある。
【図面の簡単な説明】
【図１】実施形態の分解斜視図
【図２】（ａ）（ｂ）同上の一部断面図
【図３】（ａ）同上のフック部分の分解斜視図
（ｂ）（ａ）図の組立て後の横断平面図
（ｃ）（ｂ）図の正面図
（ｄ）（ｃ）図の縦断側面図
【図４】（ａ）同上の規制部在の斜視図
（ｂ）（ａ）図の正面図
（ｃ）（ｂ）図の側面図
（ｄ）（ｂ）図の横断平面図
【図５】（ａ）放熱板セットの平面図
（ｂ）（ａ）の断面図
【図６】（ａ）圧力調整弁
（ｂ）（ａ）図のｂ−ｂ線の断面図
【図７】圧力調整弁の分解斜視図
【図８】従来例の蓋の底面図
【図９】同上の一部断面図
【図１０】（ａ）（ｂ）同上の一部断面図
【図１１】従来例のフックの斜視図
【符号の説明】
１  炊飯器本体
２  蓋セット
３  嵌合凹部
４  放熱板セット
５  蓋フック機構
６  前部係合部
７  後部係合部
８  係合突起
９  把持用突片
１１  係合爪
１２  角形部
１３  後部係合爪
１４  凹部
１５  フック
１６  奥壁
１７  付勢ばね
１８  係合板
１９  ガイド板
２１  係合突起
２２  縦スリット
２３  ガイド片
２４  ガイド突起
２５  ガイド溝
２６  ガイドスリット
２７  ばね受け部
２８  規制部材
２９  規制部
３１  連結部
３２  係合片
３３  側面
３４  長穴
３５  端板
４０  圧力調整弁
４１  圧力逃がし弁
４２  放熱板
４３  放熱板リング
４４  蓋パッキン
４５  ボール
４６  ボール受け
４７  パッキン
４８  ボールシート
４９  ボールキャップ
５１  固定凹部
５２  つば
５３  バーリング加工穴
５４  回り止め爪
５５  固定リブ
５６  回り止めリブ
５７  窓穴
【図１】
2004267260.tif 000003
【図２】
2004267260.tif 000004
【図３】
2004267260.tif 000005
【図４】
2004267260.tif 000006
【図５】
2004267260.tif 000007
【図６】
2004267260.tif 000008
【図７】
2004267260.tif 000009
【図８】
2004267260.tif 000010
【図９】
2004267260.tif 000011
【図１０】
2004267260.tif 000012
【図１１】
2004267260.tif 000013